(57)【特許請求の範囲】
【請求項１】
表側面に文字又は図形が印刷されたフィルムを用いる製袋包装機であって、
前記フィルムがロール状に巻かれたフィルムロールを支持するフィルムロール支持部と、
前記フィルムを加工して袋を作る製袋部と、
前記フィルムロール支持部と前記製袋部との間に位置し、前記フィルムを前記製袋部へ送る搬送部と、
前記フィルムロール支持部と前記搬送部との間に位置する前記フィルムを、前記表側面方向から照射する発光部と、
を備え、
前記発光部は、少なくとも、前記フィルムの幅方向の両端および前記フィルムの幅方向の両端の外側において、光を照射し、
前記発光部が光を照射すると、光が前記フィルムを透過し、前記フィルムの前記表側面に印刷された文字又は図形を前記フィルムの裏側面の側から確認しながら、交換前の前記フィルムロールの終端と交換後の前記フィルムロールの始端とを接合する接合作業を行うことができるように、前記発光部が配置されている、
製袋包装機。
【請求項２】
前記フィルムロール支持部と前記搬送部との間に位置し、前記フィルムロールの交換時に交換前の前記フィルムロールの終端と交換用の前記フィルムロールの始端とを接合する作業を補助する、作業テーブルをさらに備え、
前記発光部は、前記作業テーブル上に位置する前記フィルムを照射する、
請求項１に記載の製袋包装機。
【請求項３】
前記作業テーブルは、前記フィルムロールから送られる前記フィルムの前記表側面に面する平面部を含み、
前記平面部には、前記フィルムの幅方向に延びるスリットが形成され、
前記スリットの幅は、前記フィルムの幅よりも大きく、
前記発光部は、前記平面部の下方に配置され、前記スリットを通過するように光を照射する、
請求項２に記載の製袋包装機。
【請求項４】
前記フィルムロール支持部に支持される前記フィルムロールが終端に達したことを検知する終端検知部をさらに備え、
前記発光部は、前記フィルムロールが終端に達したことを前記終端検知部が検知したことに応じて、点滅又は点灯する、
請求項１から３のいずれか１項に記載の製袋包装機。
【請求項５】
前記発光部が光を照射している発光状態と、前記発光部が光を照射していない非発光状態と、を切り換えるスイッチ部、
をさらに備え、
前記スイッチ部は、前記作業テーブルの側方に配置されるボタンによって、前記発光状態と前記非発光状態とを切り換える、
請求項２又は３に記載の製袋包装機。
【発明の詳細な説明】
【技術分野】
【０００１】
本発明は、製袋包装機に関する。
【背景技術】
【０００２】
従来、ロール状に巻かれたフィルムを用いて製袋する製袋包装機が知られている。例えば、特許文献１（特許第４３２０２４８号公報）に開示される製袋包装機は、フィルムロールからフィルムが送られ、製袋部にてシールされることで製袋されている。
【０００３】
このような製袋包装機では、フィルムの消費によりフィルムロールが終端に達した場合、フィルムロールが交換される。フィルムロールの交換時には、交換前のフィルムロールの終端と、交換用のフィルムロールの始端とを、接合する接合作業を行うことが必要となる。特許文献１では、フィルムロールの交換時に、交換前のフィルムロールのフィルムをフィルム押さえ機構により固定するとともにフィルム吸引機構により吸引し、フィルム貯留機構によりフィルムロールの終端をフィルム吸引機構までたぐり寄せることで、フィルムの接合作業の作業性が向上されているとともに、フィルムの損失が抑制されている。
【発明の概要】
【発明が解決しようとする課題】
【０００４】
通常、フィルムの表側面には、文字又は図形が印刷されている。このため、フィルムの接合作業においては、接合部分の文字又は図形にズレが生じないように、交換前のフィルムロールの終端と、交換用のフィルムロールの始端とが、互いの文字又は図形が合致する位置で適正に接合される必要がある。フィルムの接合作業が適正に行われないと、製袋やフィルムへの情報の印刷が一時的或いは連続的に適正に行われず、フィルム及び商品の損失が生じることとなる。
【０００５】
しかし、上述のような製袋包装機では、フィルムロールから送り出されるフィルムは、製袋部の工程に関連して、表側面が製袋包装機の内側に向くとともに裏側面が外側に向いた状態で下流側へと送られるのが一般的である。このため、フィルムの接合作業においては、裏側面が製袋包装機の外側に向いた状態のフィルム同士を接合しなければならない場合がある。係る場合、フィルムの裏側面に何らかの目印が含まれていなければ、フィルムの接合作業を適正に行うことが困難となりうる。
【０００６】
そこで、本発明の課題は、フィルムの接合作業における作業性に優れた製袋包装機を提供することである。
【課題を解決するための手段】
【０００７】
本発明の第１観点に係る製袋包装機は、表側面に文字又は図形が印刷されたフィルムを用いる製袋包装機であって、フィルムロール支持部と、製袋部と、搬送部と、発光部と、を備える。フィルムロール支持部は、フィルムがロール状に巻かれたフィルムロールを、支持する。製袋部は、フィルムを加工して、袋を作る。搬送部は、フィルムロール支持部と製袋部との間に位置する。搬送部は、フィルムを製袋部へ送る。発光部は、フィルムロール支持部と搬送部との間に位置するフィルムを、フィルムの表側面方向から照射する。
【０００８】
本発明の第１観点に係る製袋包装機では、発光部が、フィルムロール支持部と搬送部との間に位置するフィルムを、フィルムの表側面方向から照射する。これにより、フィルムロール交換時におけるフィルムの接合作業において、発光部から照射される光によってフィルムを透過し、表側面に印刷された文字又は図形を裏面側から確認しながら作業を行うことが可能となる。その結果、裏側面が製袋包装機の外側に向いた状態のフィルム同士の接合を要求される場合においても、フィルムの接合作業を適正に行うことが容易となる。よって、フィルムの接合作業の作業性が向上する。
【０００９】
なお、用いられるフィルムには、例えば、通常時に裏側面から表側面が透けて見える（半透明の）フィルムや、強い光を照射されることで表側面に印刷された文字又は図形を裏側面から視認可能なフィルム（例えば、アルミ蒸着フィルム等）等が含まれる。
【００１０】
本発明の第２観点に係る製袋包装機は、第１観点に係る製袋包装機であって、作業テーブルをさらに備える。作業テーブルは、フィルムロール支持部と、搬送部と、の間に位置する。作業テーブルは、フィルムロールの交換時に、交換前のフィルムロールの終端と、交換用のフィルムロールの始端と、を接合する作業を補助する。発光部は、作業テーブル上に位置するフィルムを、照射する。
【００１１】
これにより、フィルムの接合作業が行われる作業テーブル上において、フィルムが透過され、表側面に印刷された文字又は図形を確認することが可能となる。その結果、フィルムの接合作業を適正に行うことがさらに容易となる。
【００１２】
本発明の第３観点に係る製袋包装機は、第２観点に係る製袋包装機であって、作業テーブルは、平面部を含む。平面部は、フィルムロールから送られるフィルムの、表側面に面する。平面部には、スリットが形成される。スリットは、フィルムの幅方向に延びる。発光部は、平面部の下方に配置される。発光部は、スリットを通過するように、光を照射する。
【００１３】
これにより、発光部を、作業テーブル下方のスペースにコンパクトに配置することが可能となる。その結果、発光部が配置されることによる、コンパクト性の低下や、作業性の低下が、抑制される。
【００１４】
本発明の第４観点に係る製袋包装機は、第１観点から第３観点のいずれかに係る製袋包装機であって、終端検知部をさらに備える。終端検知部は、フィルムロール支持部に支持されるフィルムロールが、終端に達したことを検知する。発光部は、フィルムロールが終端に達したことを終端検知部が検知したことに応じて、点滅又は点灯する。
【００１５】
これにより、ユーザが、フィルムロールが終端に達したことを視覚的に認知でき、フィルムロール交換のタイミングを迅速に把握できる。その結果、装置の停止時間を短縮することが可能となり、生産性が向上しうる。
【発明の効果】
【００１６】
本発明に係る製袋包装機では、フィルムロール交換時におけるフィルムの接合作業において、発光部から照射された光によって透過された文字又は図形を確認しながら、フィルムを接合することが可能となる。その結果、裏側面が製袋包装機の外側に向いた状態のフィルム同士の接合が要求される場合においても、フィルムの接合作業を適正に行うことが容易となる。よって、フィルムの接合作業の作業性が向上する。
【図面の簡単な説明】
【００１７】
【図１】本発明の一実施形態に係る製袋包装機の概略構成図。
【図２】フィルムロールの一例を示した模式図。
【図３】フィルムの表側面の一例を示した模式図。
【図４】製袋包装機の斜視図。
【図５】製袋包装機の左側面図。
【図６】製袋包装機の背面図。
【図７】図４に示される作業テーブル周辺の拡大図。
【図８】図６に示される作業テーブル周辺の拡大図。
【図９】制御部と、制御部に電気的に接続される各ユニットと、を示したブロック図。
【図１０】発光部が非発光状態にある場合における、作業テーブル及び作業テーブル上に位置するフィルム（裏側面）の状態を表わした模式図。
【図１１】発光部が発光状態となった場合における、作業テーブル及び作業テーブル上に位置するフィルム（裏側面）の状態を表わした模式図。
【図１２】変形例Ｂにおいて、発光部が非発光状態にある場合における、作業テーブル及び作業テーブル上に位置するフィルム（裏側面）の状態を表わした模式図。
【図１３】変形例Ｂにおいて、発光部が発光状態となった場合における、作業テーブル及び作業テーブル上に位置するフィルム（裏側面）の状態を表わした模式図。
【発明を実施するための形態】
【００１８】
以下、図面を参照しながら、本発明の一実施形態に係る製袋包装機１００について説明する。なお、以下の実施形態は、本発明の具体例であって、本発明の技術的範囲を限定するものではなく、発明の要旨を逸脱しない範囲で適宜変更が可能である。また、以下の説明において、上、下、左、右、正面（前）、背面（後）といった方向を示す語句を用いているが、これらの方向は、特にことわりのない限り、図４から図８、及び図１０から図１３に示す方向を意味する。
【００１９】
（１）製袋包装機１００の概略構成
図１は、本発明の一実施形態に係る製袋包装機１００の概略構成図である。図２は、製袋包装機１００において、使用されるフィルムロールＦＲの一例を示した模式図である。図３は、フィルムＦの表側面ＦＳの一例を示した模式図である。
【００２０】
製袋包装機１００は、フィルムロールＦＲから繰り出されるフィルムＦを、成形して所定の位置でシールし、商品を充填してから、再度シールして製袋した後、包装物品ＷＰとして排出する装置である。
【００２１】
製袋包装機１００において使用されるフィルムロールＦＲは、図２に示すように、筒状の芯材ＦＣに長尺のフィルムＦが巻回されて構成されている。フィルムロールＦＲには、フィルムＦが芯材ＦＣに接着剤等により固定されているタイプ（固定タイプ）と、固定されていないタイプ（非固定タイプ）がある。
【００２２】
なお、以下の説明において、「フィルムロールＦＲの始端」とは、芯材ＦＣに巻回されたフィルムＦの外側（搬送方向側）の一端を指す。また、「フィルムロールＦＲの終端」とは、芯材ＦＣに巻回されたフィルムＦの内側（芯材ＦＣに当接する側）の一端を指す。
【００２３】
フィルムＦは、図３に示すように、縦方向Ｌに長く延び、縦方向Ｌと垂直な横方向に広がる一定の幅Ｗ１を有している。フィルムＦには、商品包装用の袋として用いるための図柄（文字、図形又は色彩）が、寸法Ｄ毎に繰返し印刷されている。また、フィルムＦには、縦方向Ｌに寸法Ｄの間隔でマークＭが印刷されている。フィルムＦの裏側面ＢＳには、文字やマーク等の図柄が印刷されておらず、無地である。フィルムＦは、例えば、通常時に裏側面から表側面が透けて見える（半透明の）フィルムや、強い光を照射されることで表側面に印刷された文字又は図形を裏側面から視認可能なフィルム（例えば、アルミ蒸着フィルム等）等が含まれる。
【００２４】
製袋包装機１００において、フィルムＦは、裏側面ＢＳが製袋包装機１００の外側方向（主に上方向）に向くとともに、表側面ＦＳが製袋包装機１００の内側方向（主に下方向）に向いた姿勢で、下流側へと搬送される。フィルムＦは、製袋包装機１００において搬送される過程で、袋の形に加工される。フィルムＦが袋に加工されたとき、寸法Ｄは、袋の上辺と下辺の距離、または袋の左辺と右辺の距離となる。
【００２５】
製袋包装機１００は、主として、フィルムロール支持部１０と、搬送部２０と、印字部３０と、製袋部４０と、フィルム接合作業補助部５０と、制御部７０と、を有している。
【００２６】
フィルムロール支持部１０は、フィルムロールＦＲを、回転自在に支持する。フィルムロール支持部１０は、製袋包装機１００におけるフィルムＦの搬送経路において、最上流に配置されている。フィルムロール支持部１０は、シャフト１２と、シャフト１２を回転させるシャフトモータ（図示省略）と、を有している。シャフト１２は、フィルムロールＦＲの中心孔Ｈ１（すなわち芯材ＦＣ）を挿入されることで、フィルムロールＦＲを装着される。シャフト１２は、シャフトモータの出力軸に接続されており、シャフトモータの駆動に連動して回転する。シャフトモータの動作（回転数）は、制御部７０によって制御される。
【００２７】
搬送部２０は、フィルムロールＦＲから繰り出されたフィルムＦを、搬送経路の下流側（製袋部４０を含む）へと搬送する。搬送部２０は、複数のローラ２１、プルダウンベルト２２、及び排出コンベア２３等を含んでおり、各部が所定の動作を行うことでフィルムＦを搬送する。複数のローラ２１は、主として、フィルムロール支持部１０と製袋部４０の間に配置されている。プルダウンベルト２２は、複数のローラ２１及び排出コンベア２３の間に配置されている。排出コンベア２３は、搬送経路の最下流に配置されている。搬送部２０における各部の動作は、制御部７０によって制御される。
【００２８】
搬送部２０に含まれるローラ２１には、テンションローラ２５（図１の二点鎖線を参照）が含まれる。テンションローラ２５は、鉛直方向に移動することでフィルムＦに所定の張力を付加する。テンションローラ２５がフィルムＦに対して付加する張力よりもフィルムＦから受ける張力の方が大きい場合、テンションローラ２５は鉛直上方向に移動する。反対に、テンションローラ２５がフィルムＦに対して付加する張力よりもフィルムＦから受ける張力の方が小さい場合は、テンションローラ２５は鉛直下方向に移動する。テンションローラ２５の上下方向の移動量は、エンコーダ２６によって検出され、検出結果に対応する信号が制御部７０に適宜送信される。制御部７０は、エンコーダ２６から送られる信号により、フィルムＦの張力を算出する。
【００２９】
印字部３０は、搬送中のフィルムＦの所定の位置に、製造年月日などの所定の情報を印字する。印字部３０の動作は、制御部７０によって制御される。
【００３０】
製袋部４０は、フィルムＦを加工して袋を作るユニットである。製袋部４０は、フォーマ４１、縦シール部４２、横シール部４３、及び切断部４４等を含んでいる。フォーマ４１は、平面の状態で搬送されてきたフィルムＦを丸め、当該フィルムＦの２つの縦辺を重ね合わせる。縦シール部４２は、フォーマ４１によって重ねあわされたフィルムＦの２つの縦辺を固着する。横シール部４３は、縦シール部４２を通過して筒状に成形されたフィルムＦの所定の位置において、縦シール部４２における固着方向に略垂直に交差するように固着する。横シール部４３は、固着したフィルムＦにおいて、フォーマ４１を介して１袋分の商品が充填された後、当該商品を充填された開口を固着する。切断部４４は、横シール部４３における固着工程を経たフィルムＦを、所定の位置で切断する。製袋部４０における各部の動作は、制御部７０によって制御される。
【００３１】
製袋部４０を通過することで商品を充填され製袋された物品は、搬送部２０の排出コンベア２３によって、製袋包装機１００外へと排出される。
【００３２】
フィルム接合作業補助部５０は、フィルムロールＦＲの交換に係る作業を補助するためのユニットである。製袋包装機１００では、フィルムロールＦＲが終端に達すると、運転を停止した状態でフィルムロールＦＲの交換が行われる。フィルムロールＦＲの交換においては、新たなフィルムロールＦＲをフィルムロール支持部１０に装着した後、交換前のフィルムロールＦＲの終端と、交換後のフィルムロールＦＲの始端と、を接合するフィルム接合作業が行われる。フィルム接合作業補助部５０は、係るフィルム接合作業を容易とするために配置される。フィルム接合作業補助部５０は、作業テーブル５５と、光照射部６０と、を含んでいる。
【００３３】
作業テーブル５５は、金属製あるいは合成樹脂製の板状の部材である。作業テーブル５５は、フィルムロールＦＲの交換時に、交換前のフィルムロールＦＲの終端と、交換用のフィルムロールＦＲの始端と、を接合する作業を補助する。具体的に、作業テーブル５５は、フィルム接合作業を行う作業台としての役割を担っている。作業テーブル５５は、フィルムロール支持部１０と搬送部２０との間に位置する。
【００３４】
光照射部６０は、フィルムＦの表側面ＦＳに印刷された図柄を、作業者が裏側面ＢＳ側から確認するための光を照射する。具体的には、光照射部６０は、作業テーブル５５上に位置する（すなわち、フィルムロール支持部１０と搬送部２０との間に位置する）フィルムＦを、表側面ＦＳ方向から照射する。光照射部６０は、ＬＥＤライト等で構成される複数の発光部６１（図８参照）と、半導体スイッチやリレー等で構成されるスイッチ部６２（図９参照）と、を含んでいる。
【００３５】
スイッチ部６２は、制御部７０によって、導通状態と非導通状態とを切り換えられる。スイッチ部６２が導通状態となると、発光部６１は、スイッチ部６２を介して、電源部（図示省略）から所定の駆動電源を供給され発光する。スイッチ部６２が非導通状態となると、電源部から供給される駆動電源が遮断され、発光部６１は発光を停止する。発光部６１は、フィルムＦの接合部分（すなわち作業テーブル５５上）におけるフィルムＦを表側面ＦＳ側から照射可能な位置に配置されている。
【００３６】
制御部７０は、ＲＡＭやＲＯＭ等のメモリと、ＣＰＵを含むマイクロコンピュータである。制御部７０は、メモリに格納された制御プログラムに応じて、製袋包装機１００に含まれる各部の動作又は状態を、適宜制御する。
【００３７】
（２）フィルム接合作業補助部５０の詳細
図４は、製袋包装機１００の斜視図である。図５は、製袋包装機１００の左側面図である。図６は、製袋包装機１００の背面図である。図７は、図４に示される作業テーブル５５周辺の拡大図である。図８は、図６に示される作業テーブル５５周辺の拡大図である。なお、図７及び図８においては、説明の便宜上、フィルム接合作業補助部５０を実線又は二点鎖線で表わし、その他の部分については破線で表わしている。
【００３８】
（２−１）作業テーブル５５
作業テーブル５５は、製袋包装機１００の本体フレーム１１０に固定されている。作業テーブル５５は、製袋包装機１００の背面側において、フィルムロール支持部１０の上方に配置されている。
【００３９】
作業テーブル５５は、上面部分に左右方向（すなわちフィルムの幅Ｗ１方向）に延びる平面部５６を有している。平面部５６の幅Ｗ２（図８参照）は、フィルムＦの幅Ｗ１よりも大きい。平面部５６は、フィルムロールＦＲから送られるフィルムＦの、表側面ＦＳに面する。平面部５６には、左右方向（すなわちフィルムの幅Ｗ１方向）に延びるスリット５７が形成される。スリット５７の幅Ｗ３（図８参照）は、フィルムの幅Ｗ１よりも大きい。
【００４０】
（２−２）光照射部６０
光照射部６０は、作業テーブル５５（より詳細には、平面部５６）の下方空間に配置されている。具体的には、複数（ここでは、１６個）の発光部６１が、平面部５６の下方に配置されている。より詳細には、各発光部６１は、スリット５７の直下において、所定間隔おきに左右方向（すなわちフィルムの幅Ｗ１方向）に並べられている。光照射部６０は、係る態様で配置されることにより、製袋包装機１００の本体フレーム１１０内において、大きなスペースを占有することなく、コンパクトに収容されている。このため、光照射部６０は、既存（従来）の製袋包装機の本体フレーム内においても収容可能である。
【００４１】
各発光部６１は、発光時の主たる照射方向が、スリット５７を貫通して外側に延びるように、配置されている。これにより、発光部６１の発光時には、照射される光がスリット５７を通過するようになっている。すなわち、作業テーブル５５のスリット５７上に存在するフィルムＦは、スリット５７を通過する光によって照射されうる。後述するが、発光部６１は、フィルムロールＦＲが終端に達した場合、点滅する。
【００４２】
スイッチ部６２は、制御部７０から駆動電圧を供給されることによって、導通状態と非導通状態とを切り換えられる。
【００４３】
（３）制御部７０の詳細
図９は、制御部７０と、制御部７０に電気的に接続される各ユニットと、を示したブロック図である。
【００４４】
制御部７０は、製袋包装機１００の本体フレーム１１０に固定された電装品ボックス（図示省略）内に収容されている。制御部７０は、フィルムロール支持部１０、搬送部２０、印字部３０、及び製袋部４０に含まれるアクチュエータや各種センサと電気的に接続されており、各部と信号の送受信を行っている。また、制御部７０は、光照射部６０のスイッチ部６２、物理ボタン１２０、及びエンコーダ２６と、電気的に接続されており、各部と信号の送受信を行っている。
【００４５】
制御部７０は、主として、通信部７１と、記憶部７２と、シャフト駆動制御部７３と、搬送制御部７４と、印刷制御部７５と、製袋制御部７６と、終端検知部７７と、光照射制御部７８と、を有している。
【００４６】
通信部７１は、他のユニットへ信号を送信するとともに、他のユニットからの信号を受信する機能部である。
【００４７】
記憶部７２は、ＲＡＭやＲＯＭ等で構成され、揮発性の記憶領域と不揮発性の記憶領域を含んでいる。記憶部７２は、各部の処理において用いられる制御プログラムを記憶している。
【００４８】
シャフト駆動制御部７３は、制御プログラムに沿って、フィルムロール支持部１０（シャフトモータ）の発停及び回転数を制御する。
【００４９】
搬送制御部７４は、制御プログラムに沿って、搬送部２０における各部（プルダウンベルト２２及び排出コンベア２３等）の動作を制御する。
【００５０】
印刷制御部７５は、制御プログラムに沿って、印字部３０の動作を制御する。
【００５１】
製袋制御部７６は、制御プログラムに沿って、製袋部４０における各部（縦シール部４２、横シール部４３、及び切断部４４等）の動作を制御する。
【００５２】
終端検知部７７は、フィルムロール支持部１０に装着されているフィルムロールＦＲが終端に達しか否かを判定する。具体的に、終端検知部７７は、エンコーダ２６の検出値に応じて、（テンションローラ２５の鉛直方向における位置に基づき）フィルムＦにかかる張力を監視し、張力の変化からフィルムロールＦＲの終端を検知している。終端検知部７７は、例えば、テンションローラ２５にかかる張力が一時的に大きくなったことに基づき、フィルムロールＦＲが終端に達したと判定する。
【００５３】
なお、ここでの「フィルムロールＦＲの終端を検知」には、例えば、フィルムＦの終端と芯材ＦＣとが固定されているタイプ（固定タイプ）のフィルムロールＦＲにおいては、それ以上にフィルムＦを送り出すことができなくなった瞬間を検知することが含まれる。また、フィルムＦの終端と芯材ＦＣとが固定されていないタイプ（非固定タイプ）のフィルムロールＦＲにおいては、フィルムＦが芯材ＦＣから離れた瞬間を検知することが含まれる。
【００５４】
光照射制御部７８は、制御プログラムに沿って、光照射部６０のスイッチ部６２の状態を制御する。光照射制御部７８は、物理ボタン１２０が押下されると、スイッチ部６２を導通状態に切り換えるべく駆動電圧を供給する。これにより、スイッチ部６２を介して発光部６１に駆動電源が供給され、発光部６１が発光状態となる。
【００５５】
また、光照射制御部７８は、スイッチ部６２が導通状態にある場合において物理ボタン１２０が押下されると、スイッチ部６２を非導通状態に切り換えるべく駆動電圧の供給を停止する。これにより、スイッチ部６２を介して発光部６１に供給されていた駆動電源が遮断され、発光部６１が非発光状態（発光していない状態）となる。
【００５６】
また、光照射制御部７８は、終端検知部７７がフィルムロールＦＲの終端を検知した場合には、スイッチ部６２の導通状態と非導通状態とを所定期間毎に切り換えるべく、間欠的に駆動電圧の供給を行う。これにより、発光部６１は、発光状態と非発光状態とが所定期間毎に切り換わる点滅状態となる。その結果、ユーザが、フィルムロールＦＲが終端に達したことを視覚的に認知できるようになる。
【００５７】
光照射制御部７８は、発光部６１が点滅状態にある場合において、物理ボタン１２０が押下されると、発光部６１を非発光状態とすべく、間欠的に行っていた駆動電圧の供給を停止する。これにより、発光部６１が非発光状態となる。
【００５８】
（４）製袋包装機１００の主たる機能
製袋包装機１００では、主として以下の理由から、フィルムＦの接合作業における作業性に優れている。
【００５９】
すなわち、製袋包装機１００では、フィルムロールＦＲから送り出されるフィルムＦは、裏側面ＢＳが製袋包装機１００の外側（主として上方向）を向いた状態で下流側（製袋部４０）へと送られる。このため、フィルムＦの接合作業においては、裏側面ＢＳが製袋包装機１００の外側を向いた状態のフィルムＦ同士を接合する必要がある。係る場合、フィルムＦの裏側面ＢＳに何らかの目印が含まれていなければ、フィルムＦの接合作業を適正に行うことが困難となりうる。
【００６０】
しかし、製袋包装機１００では、発光部６１が、フィルムロール支持部１０と搬送部２０との間に位置するフィルムＦを、表側面ＦＳ方向から照射可能に配置されている。これにより、フィルムＦの接合作業を行う際、図１０及び図１１に示すように、発光部６１から照射された光によって透過された文字又は図形を確認しながら、フィルムＦを接合することが可能となる。
【００６１】
図１０は、発光部６１が非発光状態にある場合における、作業テーブル５５及び作業テーブル５５上に位置するフィルムＦ（裏側面ＢＳ）の状態を表わした模式図である。図１１は、発光部６１が発光状態となった場合における、作業テーブル５５及び作業テーブル５５上に位置するフィルムＦ（裏側面ＢＳ）の状態を表わした模式図である。なお、図１０及び図１１におけるハッチング部分は、フィルムＦの裏側面ＢＳ（無地）を表わしている。
【００６２】
図１０に示すように、発光部６１が非発光状態にある場合には、フィルムＦが光で透過されていない状態であるため、表側面ＦＳに印刷された図柄を、裏側面ＢＳ側からは確認できない。
【００６３】
一方、図１１に示すように、発光部６１が発光状態となると、フィルムＦが光で透過され、表側面ＦＳに印刷された図柄を、裏側面ＢＳ側から確認可能となる。図１１では、フィルムＦがスリット５７を通過した光に透過されて、表側面ＦＳに印刷されたマークＭを、裏側面ＢＳ側から確認可能となった様子が表わされている。これにより、マークＭ等の図柄を確認しながらフィルムＦの接合作業を行えるようになり、裏側面ＢＳが製袋包装機１００の外側を向いた状態のフィルムＦ同士の接合を行う場合であっても、フィルムＦの接合作業を適正に行うことが容易となる。
【００６４】
よって、フィルムＦの接合作業の作業性に優れている。
【００６５】
（５）特徴
（５−１）
上記実施形態では、発光部６１が、フィルムロール支持部１０と搬送部２０との間に位置するフィルムＦを、表側面ＦＳ方向から照射可能に配置されている。これにより、フィルムロールＦＲ交換時におけるフィルムＦの接合作業において、発光部６１から照射される光によって透過された文字又は図形を確認しながら、フィルムＦを接合することが可能となっている。その結果、裏側面ＢＳが上を向いた状態のフィルムＦ同士の接合が要求される場合においても、フィルムＦの接合作業を適正に行うことが容易となっている。よって、フィルムＦの接合作業の作業性に優れている。
【００６６】
（５−２）
上記実施形態では、発光部６１は、作業テーブル５５の直上に位置するフィルムＦを、照射するように配置されている。これにより、フィルムＦの接合作業が行われる際、作業テーブル５５上に位置するフィルムＦの、文字又は図形が透過される。その結果、フィルムＦの接合作業を適正に行うことがさらに容易となっている。
【００６７】
（５−３）
上記実施形態では、発光部６１は、作業テーブル５５の平面部５６の下方において、平面部５６に形成されたフィルムＦの幅方向に延びるスリット５７、を通過する光を照射可能に配置されている。係る態様で配置されることにより、発光部６１は、製袋包装機１００の本体フレーム１１０内において、大きなスペースを占有することなく、コンパクトに収容されている。すなわち、発光部６１は、作業テーブル５５の下方のスペースにコンパクトに配置されている。その結果、発光部６１が配置されることによる、装置本体のコンパクト性の低下や、作業性の低下が、抑制されている。
【００６８】
（５−４）
上記実施形態では、終端検知部７７はフィルムロールＦＲが終端に達したことを検知し、発光部６１はフィルムロールＦＲが終端に達したことを終端検知部７７が検知したことに応じて点滅又は点灯するように構成されている。これにより、ユーザが、フィルムロールＦＲが終端に達したことを視覚的に認知でき、フィルムロールＦＲ交換のタイミングを迅速に把握できるようになっている。その結果、製袋包装機１００の停止時間を短縮することが可能となっており、生産性を向上しうる。
【００６９】
（６）変形例
上記実施形態の製袋包装機１００は、以下の変形例に示すように適宜変形が可能である。なお、各変形例は、矛盾が生じない範囲で他の変形例と組み合わせて適用されてもよい。
【００７０】
（６−１）変形例Ａ
上記実施形態では、発光部６１は、複数のＬＥＤライトで構成された。しかし、発光部６１は、必ずしもＬＥＤライトに限定されず、光を照射するものであれば他のものを採用されてもよい。例えば、発光部６１として、蛍光灯や白熱電球を採用されてもよい。
【００７１】
（６−２）変形例Ｂ
上記実施形態では、作業テーブル５５の平面部５６にスリット５７が形成され、係るスリット５７を通過するように発光部６１から光が照射された。しかし、発光部６１が光を照射する態様については、必ずしもこれに限定されない。例えば、上記実施形態の平面部５６を平面部５６ａとして合成樹脂やガラス等の透明や半透明の素材で構成し、係る平面部５６ａの下方に発光部６１を適宜配置して、平面部５６ａを透過するように光を照射させてもよい。係る場合、スリット５７については省略可能である。
【００７２】
係る態様によっても、上記実施形態と同様の効果を奏する。すなわち、フィルムＦの接合作業を行う際、図１２及び図１３に示すように、発光部６１から照射された光によって透過された文字又は図形を確認しながら、フィルムＦを接合することが可能となる。
【００７３】
図１２は、発光部６１が非発光状態にある場合における、作業テーブル５５ａ及び作業テーブル５５ａ上に位置するフィルムＦ（裏側面ＢＳ）の状態を表わした模式図である。図１３は、発光部６１が発光状態となった場合における、作業テーブル５５ａ及び作業テーブル５５ａ上に位置するフィルムＦ（裏側面ＢＳ）の状態を表わした模式図である。なお、図１２及び図１３におけるハッチング部分は、フィルムＦの裏側面ＢＳ（無地）を表わしている。
【００７４】
図１２に示すように、発光部６１が非発光状態にある場合には、フィルムＦが光で透過されていない状態であるため、表側面ＦＳに印刷された図柄を、裏側面ＢＳ側からは確認できない。
【００７５】
一方、図１３に示すように、発光部６１が発光状態となると、フィルムＦが光で透過され、表側面ＦＳに印刷された図柄を、裏側面ＢＳ側から確認可能となる。図１３では、フィルムＦが平面部５６ａを通過した光に透過されて、表側面ＦＳに印刷されたマークＭ及び他の図柄を、裏側面ＢＳ側から確認可能となった様子が表わされている。これにより、マークＭ等の図柄を確認しながらフィルムＦの接合作業を行えるようになり、裏側面ＢＳが製袋包装機１００の外側を向いた状態のフィルムＦ同士の接合を行う場合であっても、フィルムＦの接合作業を適正に行うことが容易となる。
【００７６】
（６−３）変形例Ｃ
上記実施形態では、発光部６１は、作業テーブル５５の平面部５６の下方空間に配置された。しかし、発光部６１は、必ずしも係る態様で配置される必要はなく、他のスペースに配置されてもよい。例えば、発光部６１は、パネル状に構成されて平面部５６上に配置されてもよい。また、平面部５６の左右いずれかの端部付近において照射方向を可変に配置されてもよい。
【００７７】
（６−４）変形例Ｄ
上記実施形態では、発光部６１は、作業テーブル５５（平面部５６）上に位置するフィルムＦを、表側面ＦＳ側から照射可能に配置されていた。しかし、発光部６１は、必ずしも係る態様で配置される必要はない。例えば、発光部６１は、フィルムロール支持部１０と作業テーブル５５の間に位置するフィルムＦを、表側面ＦＳ側から照射可能な態様で配置されてもよい。
【００７８】
（６−５）変形例Ｅ
上記実施形態では、発光部６１は、終端検知部７７がフィルムロールＦＲの終端を検知したことに応じて、点滅するように構成されていた。しかし、係る場合において、発光部６１が、点滅するのではなく、単に点灯するように構成されてもよい。すなわち、光照射制御部７８が、間欠的にではなく、連続的に、駆動電圧の供給を行うように構成してもよい。
【００７９】
（６−６）変形例Ｆ
上記実施形態では、発光部６１が発する光の色については、特に限定されていなかったが、フィルムＦの図柄等に応じて適宜、選択されればよい。
【００８０】
（６−７）変形例Ｇ
上記実施形態では、終端検知部７７は、フィルムロールＦＲの終端を、エンコーダ２６から出力される信号（すなわち、テンションローラ２５の変化量に基づいて算出されるフィルムＦの張力）に基づいて検知していた。しかし、終端検知部７７がフィルムロールＦＲの終端を検知する方法については適宜変更が可能であり、他の公知の手段が採用されてもよい。例えば、シャフト１２や他のローラ２１等にエンコーダを取り付け、終端検知部７７が、当該エンコーダから送られる信号に基づいてフィルムロールＦＲの終端を検知するように構成してもよい。また、フィルムロールＦＲの終端を直接的に検出するセンサやカメラを配置し、終端検知部７７がこれらの機器から送られる信号に基づいて、フィルムロールＦＲの終端を検知するように構成してもよい。
【００８１】
（６−８）変形例Ｈ
上記実施形態では、光照射制御部７８がスイッチ部６２の導通状態と非導通状態とを切り換えることで、発光部６１の発光状態と非発光状態とが切り換えられていた。しかし、これに限定されず、機械的なスイッチを配置し、当該スイッチのオンとオフの切り換えに応じて、発光部６１の発光状態と非発光状態とが切り換えられるように構成されてもよい。
【００８２】
（６−９）変形例Ｉ
上記実施形態では、制御部７０は、製袋包装機１００の本体フレーム１１０に固定された電装品ボックス（図示省略）内に収容されていた。しかし、制御部７０の配置態様については必ずしもこれに限定されず、適宜変更である。例えば、制御部７０の一部又は全部は、ＬＡＮやＷＡＮ等のネットワークで接続された遠隔地に配置されてもよい。
【産業上の利用可能性】
【００８３】
本発明は、製袋包装機に利用可能である。
【符号の説明】
【００８４】
１０    ：フィルムロール支持部
１２    ：シャフト
２０    ：搬送部
２１    ：ローラ
２２    ：プルダウンベルト
２３    ：排出コンベア
２５    ：テンションローラ
２６    ：エンコーダ
３０    ：印字部
４０    ：製袋部
４１    ：フォーマ
４２    ：縦シール部
４３    ：横シール部
４４    ：切断部
５０    ：フィルム接合作業補助部
５５、５５ａ：作業テーブル
５６、５６ａ：  平面部
５７    ：スリット
６０    ：光照射部
６１    ：発光部
６２    ：スイッチ部
７０    ：制御部
７１    ：通信部
７２    ：記憶部
７３    ：シャフト駆動制御部
７４    ：搬送制御部
７５    ：印刷制御部
７６    ：製袋制御部
７７    ：終端検知部
７８    ：光照射制御部
１００  ：製袋包装機
１１０  ：本体フレーム
１２０  ：物理ボタン
ＢＳ    ：裏側面
Ｆ      ：フィルム
ＦＲ    ：フィルムロール
ＦＳ    ：表側面
Ｍ      ：マーク
【先行技術文献】
【特許文献】
【００８５】
【特許文献１】特許第４３２０２４８号公報
【図１】
0006534838.tif 000002
【図２】
0006534838.tif 000003
【図３】
0006534838.tif 000004
【図４】
0006534838.tif 000005
【図５】
0006534838.tif 000006
【図６】
0006534838.tif 000007
【図７】
0006534838.tif 000008
【図８】
0006534838.tif 000009
【図９】
0006534838.tif 000010
【図１０】
0006534838.tif 000011
【図１１】
0006534838.tif 000012
【図１２】
0006534838.tif 000013
【図１３】
0006534838.tif 000014